(57)【要約】【課題】被マッサージ部分の周りに筒状に廻され使用されるマッサージ具を筒状に保持するスライドファスナー取り換え作業の簡易化。【解決手段】筒状にされたマッサージ具本体（２２）の一対の隣接する端縁（２２ａ、２２ｂ）に取り付けられる一対のファスナーストリップ（２４Ａ、２４Ｂ）を有するスライドファスナー（２４）と、一方の端縁（２２ａ）に沿って取り付けられたファスナーストリップ（２４Ａ）よりも内側に配置され、他方の端縁（２２ｂ）に沿って設けられたファスナーストリップ（２４Ｂ）の内側まで延びる咬み込み防止ストリップ（２６）とを有する。一方の端縁（２２ａ）に沿って取り付けられたファスナーストリップ（２４Ａ）は、その一方の端縁（２２ａ）に取り外し可能に取り付けられている。【選択図】図４
2018166605.tif 000002
【特許請求の範囲】
【請求項１】
加圧室を複数備え、被マッサージ部分の周りに筒状に取り付けられて該加圧室に加圧流体を供給排出することにより該被マッサージ部分のマッサージを行うマッサージ具であって、
被マッサージ部分の周りに筒状に廻されるマッサージ具本体と、
筒状に廻された該マッサージ具本体における長さ方向に延びる相互に隣接した状態とされる該マッサージ具本体の一対の端縁を解放可能に連結して該マッサージ具本体を筒状に維持するスライドファスナーであって、該隣接した該端縁のそれぞれに沿って取り付けられ相互に噛み合わせられる一連の噛合せ歯を備える一対のファスナーストリップを有するスライドファスナーと、
筒状に廻された該マッサージ具本体の該隣接した該一対の端縁の一方に沿って取り付けられた該ファスナーストリップよりも内側に配置され、該一対の端縁の他方に沿って設けられた該ファスナーストリップの内側まで延びる咬み込み防止ストリップと
を有し、
該一対の端縁の該一方に沿って取り付けられた該ファスナーストリップは、該一対の端縁の該一方及び該咬み込み防止ストリップのうちの選択した一方に取り外し可能に取り付けられているマッサージ具。
【請求項２】
該マッサージ具本体が、加圧室を備えるシート状加圧室材と、該シート状加圧室材の外側面及び内側面をそれぞれ被うように重ねられた外側及び内側シート状カバー材と、該シート状加圧室材及び外側及び内側シート状カバー材をそれらの周縁に沿って縫合する縫い糸とを有し、
該一対の端縁の該一方に沿って取り付けられた該ファスナーストリップは、該シート状加圧室材及び該外側及び内側シート状カバー材を通された縫い糸によって該マッサージ具本体に取り付けられている請求項１に記載のマッサージ具。
【請求項３】
該咬み込み防止ストリップは、縫い糸によって該マッサージ具本体に縫い付けられている請求項1又は２に記載のマッサージ具。
【請求項４】
該咬み込み防止ストリップは、縫い糸によって該内側シート状カバー材にだけ縫い付けられている請求項３に記載のマッサージ具。
【請求項５】
該咬み込み防止ストリップは、縫い糸によって該内側シート状カバー材にだけ縫い付けられ、
該一対の端縁の該一方に沿って取り付けられた該ファスナーストリップは、該咬み込み防止ストリップに縫い付けられて該一対の端縁の該一方に沿って取り付けられている請求項１に記載のマッサージ具。
【請求項６】
上記のマッサージ具においては、更に、
該マッサージ具本体の該一対のファスナーストリップにそれぞれ連結可能とされたファスナーストリップを両側縁に備える拡張ストリップであって、該拡張ストリップを２以上横並べにした場合に隣接する該拡張ストリップの該ファスナーストリップと相互に連結可能とされた拡張ストリップを少なくとも１つ有し、
該拡張ストリップは、該拡張ストリップの一方の縁の内側に取り付けられて該一方の縁の外側に延出する咬み込み防止ストリップを有する請求項1乃至５のいずれか一項に記載のマッサージ具。
【請求項７】
筒状に廻された該マッサージ具本体の該隣接した該一対の端縁の該一方に沿って取り付けられた該咬み込み防止ストリップと、該一対の端縁の該他方と、における該スライドファスナーを閉じる方向での最終端に隣接した位置に相互に解放可能に結合される結合部材を有する請求項1乃至６のいずれか一項に記載のマッサージ具。
【請求項８】
該マッサージ具本体は人体の下肢の周りに取り付けられるようなサイズとされ、下肢の周りに取り付けられたときに同下肢の足部分を収納する足収納部と、脚を収納する脚収納部を有する請求項1乃至７のいずれか一項に記載のマッサージ具。
【請求項９】
該スライドファスナーが該足収納部及び該脚収納部を通し該マッサージ具本体の全長にわたって延びている請求項８に記載のマッサージ具。
【発明の詳細な説明】
【技術分野】
【０００１】
本発明は、複数の加圧室を備え、上肢や下肢の被マッサージ部分の周りに筒状に取り付けられて加圧室に加圧流体を供給排出することにより被マッサージ部分のマッサージを行うマッサージ具に関する。
【背景技術】
【０００２】
この種のマッサージ具は、被マッサージ部分の周りに筒状に廻されるマッサージ具本体と、  筒状に廻されたマッサージ具本体における長さ方向に延びる相互に隣接した状態とされる当該マッサージ具本体の一対の端縁を解放可能に連結して（閉めて）マッサージ具本体を筒状に維持するスライドファスナーとを有しており、スライドファスナーを閉めてマッサージ具本体の加圧室に対して加圧流体を供給排出することにより被マッサージ部分をマッサージするようになっている（特許文献１）。
【０００３】
この種のマッサージ具には、スライドファスナーを構成する一対のファスナーストリップ（すなわち当該スライドファスナーを閉めたときに相互に噛み合う一連の歯をそれぞれ有する薄く細長い部材）の間を補足ファスナーストリップでつないで当該マッサージ具の周囲長さを大きくできるようにしたものもある。すなわち、この補足ファスナーストリップはその両側縁に沿ってそれぞれ一連の歯を備え、一方の側の歯を上記スライドファスナーの対応する一方のファスナーストリップの歯と噛み合わせ、他方の側の歯を上記スライドファスナーの対応する他方のファスナーストリップの歯との噛合せるようになっている（特許文献２）。
【０００４】
スライドファスナーを備える衣服では、スライドファスナーを閉じるためにファスナースライダをスライドさせるときに、内側に着ている衣服などが該スライドファスナーに咬み込まれないように、一方のファスナーストリップの内側に取り付けられて他方のファスナーストリップの内側まで延びる咬み込み防止ストリップが設けられているものがある（特許文献３）。
【先行技術文献】
【特許文献】
【０００５】
【特許文献１】特開２００２−８５４９９号
【特許文献２】実公昭５９−５００１７号
【特許文献３】実用新案登録第３１３１７０３号
【発明の概要】
【発明が解決しようとする課題】
【０００６】
本発明は、特許文献１及び特許文献２に示されるようなマッサージ具において、スライドファスナー取り付け部分内側に特許文献３に示されるごとき咬み込み防止ストリップを備えたマッサージ具を提供することを目的とするものであるが、従来、この咬み込み防止ストリップを設ける場合には、特許文献３にも述べられているように「スライドファスナーの裏面部に重合縫着」するようになっており、スライドファスナーを損傷などのために取り替えようとすると、当該スライドファスナーと共に損傷していない咬み込み防止ストリップをも取り外す必要がある。このため、新たなスライドファスナーを取り付けようとすると、先ずこの新たなスライドファスナーを縫い付け、その後さらに、上記取り外した又は新たな咬み込み防止ストリップをこのスライドファスナーの裏側に重ねて縫い合わせる必要があった。本発明は、スライドファスナー取り換えの際のこの咬み込み防止ストリップに対するこのような作業の必要をなくし、取り換え作業のコスト及び作業工程の削減を可能とするマッサージ具を提供することを目的としている。
【課題を解決するための手段】
【０００７】
すなわち、本発明は
加圧室を複数備え、被マッサージ部分の周りに筒状に取り付けられて該加圧室に加圧流体を供給排出することにより該被マッサージ部分のマッサージを行うマッサージ具であって、
被マッサージ部分の周りに筒状に廻されるマッサージ具本体と、
筒状に廻された該マッサージ具本体における長さ方向に延びる相互に隣接した状態とされる該マッサージ具本体の一対の端縁を解放可能に連結して該マッサージ具本体を筒状に維持するスライドファスナーであって、該隣接した該端縁のそれぞれに沿って取り付けられ、相互に噛み合わせられる一連の噛合せ歯を備える一対のファスナーストリップを有するスライドファスナーと、
筒状に廻された該マッサージ具本体の該隣接した該一対の端縁の一方に沿って取り付けられた該ファスナーストリップよりも内側に配置され、該一対の端縁の他方に沿って設けられた該ファスナーストリップの内側まで延びる咬み込み防止ストリップと
を有し、
該一対の端縁の該一方に沿って取り付けられた該ファスナーストリップは、該一対の端縁の該一方及び該咬み込み防止ストリップのうちの選択した一方に取り外し可能に取り付けられているマッサージ具を提供する。
【０００８】
このマッサージ具では、該一方の端縁に沿って取り付けられた該ファスナーストリップは、該一対の端縁の該一方及び該咬み込み防止ストリップのうちの選択した一方に取り外し可能に取り付けられているようにしたので、該ファスナーストリップを新たなものと取り替える場合に、当該ファスナーストリップをそれが取り付けられているマッサージ具本体または咬み込み防止ストリップから外して新たなファスナーストリップと交換すればよいので、従来のもののように咬み込み防止ストリップを取り外すことがなく、作業もそのコストも低減することができる。
【０００９】
具体的には、
該マッサージ具本体が、加圧室を備えるシート状加圧室材と、該シート状加圧室材の外側面及び内側面をそれぞれ被うように重ねられた外側及び内側シート状カバー材と、該シート状加圧室材及び外側及び内側シート状カバー材をそれらの周縁に沿って縫合する縫い糸とを有し、
該一対の端縁の該一方に沿って取り付けられた該ファスナーストリップは、該シート状加圧室材及び該外側及び内側シート状カバー材を通された縫い糸によって該マッサージ具本体に取り付けられるようにすることができる。
【００１０】
また、該咬み込み防止ストリップは、縫い糸によって該マッサージ具本体に縫い付けるようにすることができる。より具体的には、該咬み込み防止ストリップは、縫い糸によって該内側シート状カバー材にだけ縫い付けられるようにすることができる。このように縫い糸を内側シート状カバー材にだけ縫い付け、マッサージ具本体のシート状加圧室材への縫い付けをさけることで、シート状加圧室材内の加圧室を当該シート状加圧室材のより周縁に近い部分まで形成することができ、より広いマッサージ面積を可能とする。
【００１１】
該咬み込み防止ストリップは、縫い糸によって該内側シート状カバー材にだけ縫い付けられ、
該一対の端縁の該一方に沿って取り付けられた該ファスナーストリップは、該咬み込み防止ストリップに縫い付けられて該一対の端縁の該一方に沿って取り付けられるようにすることもできる。
【００１２】
本発明に係るマッサージ具は、更に
該マッサージ具本体の該一対のファスナーストリップにそれぞれ連結可能とされたファスナーストリップを両側縁に備える拡張ストリップであって、該拡張ストリップを２以上横並べにした場合に隣接する該拡張ストリップの該ファスナーストリップと相互に連結可能とされた拡張ストリップを少なくとも１つ有し、
該拡張ストリップは、該拡張ストリップの一方の縁の内側に取り付けられて該一方の縁の外側に延出する咬み込み防止ストリップを有するようにすることができる。
本発明に係るマッサージ具は、リンパ浮腫の患者のリンパドレナージのために使用されることがある。そのような患者の上肢や下肢は健常者とは比較にならないほど大きく膨らんだ状態となっていることがあり、そのような場合に拡張ストリップを１つ若しくはそれ以上を横並べにしてマッサージ具本体の装着し、筒状とされたときのマッサージ具本体の径を大きくできるようにする。咬み込み防止ストリップは、そのような使用が行われる場合の患部などをスライドファスナーに咬み込まれるのを防止するためのものである。
【００１３】
該筒状に廻された該マッサージ具本体の該隣接した該一対の端縁の該一方に沿って取り付けられた咬み込み防止ストリップと、該一対の端縁の該他方と、における該スライドファスナーを閉じる方向での最終端に隣接した位置に相互に解放可能に結合される結合部材を有するようにすることができる。
結合部材は相互に結合されるボタンなどとすることができ、この結合部材を結合し該一対の端縁全体を近接した状態に維持することにより、スライドファスナーをより円滑に閉じることが可能となる。
【００１４】
具体的には、該マッサージ具本体は人体の下肢の周りに取り付けられるようなサイズとされ、下肢の周りに取り付けられたときに同下肢の足部分を収納する足収納部と、脚を収納する脚収納部を有するようにすることができる。
【００１５】
この場合、該スライドファスナーが該足収納部及び脚収納部を通し該マッサージ具本体の全長にわたって延びるようにすることができる。ただし、該足収納部は袋状又は筒状として、該スライドファスナーは脚収納部だけに設けることも可能である。
【００１６】
また、この場合、該マッサージ具本体における該足収納部と該脚収納部との接続部分に隣接した該マッサージ具本体の外周面に該スライドファスナーを横断して該一対の端縁を解放可能に相互に近接した状態に締結する締結部材を有するようにすることもできる。締結部材を締結した状態に維持し、ファスナースライドは該締結部材より脚収納部側にとどめるようにしておき、当該マッサージ具を使用する場合には、使用者は足をスライドファスナーで閉じられて筒状にされている足収納部に脚収納部側から入れて、スライドファスナーを閉じるようにすることができる。
【００１７】
以下、本発明に係るマッサージ具の実施形態を添付図面に基づき説明する。
【図面の簡単な説明】
【００１８】
【図１】本発明に係るマッサージ具の使用例を示す斜視図である。
【図２】図１のマッサージ具の咬み込み防止ストリップを備えたスライドファスナーの一部を示す図である。
【図３】図２の咬み込み防止ストリップ及びスライドファスナーの取付け状態を模式的に示す図である。
【図４】図２の咬み込み防止ストリップ及びスライドファスナーの他の取付け状態を模式的に示す図である。
【図５】図３に類似する図であるが、スライドファスナーを咬み込み防止ストリップに取り付けるようにした例を示している。
【図６】図４に類似する図であるが、スライドファスナーを咬み込み防止ストリップに取り付けるようにした例を示している。
【図７】図２に類似する図であるが、図１のマッサージ具にその周囲長を増やすための拡張ストリップを取り付けた状態を示している。
【図８】図７に示した拡張ストリップを２つ横並べにしてマッサージ具に取り付ける場合の、拡張ストリップ等の取付け状態を模式的に示す図であり、マッサージ具への取付け前の状態を示している。
【図９】図７に類似する図であるが、拡張ストリップがマッサージ具に取り付けられた状態を示している。
【発明を実施するための形態】
【００１９】
図１は、本発明に係るマッサージ具１０を両方の下肢（被マッサージ部）に取り付けている例を示しており、この例では後述する拡張ストリップ１６が用いられて当該マッサージ具１０の周長が拡張されている。マッサージ具１０は、下肢を取り囲んで筒状とされており、加圧空気ポンプを備えたマッサージ具制御器１２によって加圧空気が、当該マッサージ具１０の内部に設けられ下肢の長さ方向で複数配列されている加圧室２０（図３）に対して供給排出されることにより下肢のマッサージを行うものである。このような加圧室を備えるマッサージ具については特許文献１などにより広く知られているのでその基本的構成の詳細は省略する。
【００２０】
マッサージ具１０は、被マッサージ部分の周りに筒状に廻されるマッサージ具本体２２と、筒状に廻されたときに該マッサージ具本体２２における長さ方向に延びる相互に隣接した状態とされる一対の端縁２２ａ、２２ｂのそれぞれに沿って取り付けられる一対のファスナーストリップ２４Ａ、２４Ｂを有するスライドファスナー２４とを備える（図２）。参照番号２４ａ、２４ｂはファスナーストリップ２４A、２４Bにそれぞれ取り付けられて相互に噛み合わせられる（模式的にあらわされた）一連の噛合せ歯を示している。図２及び図３に示すように、マッサージ具本体２２の一方の端縁２２ａの内側には同端縁２２ａに取り付けられたファスナーストリップ２４Ａよりも内側に配置され、他方の端縁２２ｂに沿って設けられたファスナーストリップ２４Ｂの内側まで延びる咬み込み防止ストリップ２６が設けられている。この咬み込み防止ストリップ２６は、当該マッサージ具１０が図１に示すように被マッサージ部分の周りに取り付けられてファスナースライド２４Ｆを閉じる方向にスライドさせるときに被マッサージ部分がスライドファスナーに咬み込まれるのを防止するようになっている。図３に示す例では、マッサージ具本体２２は、加圧室２０を備えるシート状加圧室材２２Aと、シート状加圧室材２２Ａの外側面及び内側面をそれぞれ被うように重ねられた外側及び内側シート状カバー材２２Ｂ、２２Ｄと、シート状加圧室材２２Ａ及び外側及び内側シート状カバー材２２Ｂ、２２Ｄをそれらの周縁に沿って縫合する縫い糸２２Ｆとを有している。図２に示すように、マッサージ具本体２２の一端縁２２ａに沿って設けられた咬み込み防止ストリップ２６と、該マッサージ具本体２２の他端縁２２ｂにおけるスライドファスナー２４を閉じる方向（すなわち、図２においてファスナースライド２４Ｆを上方へ動かす方向）での最終端に隣接した位置に相互に解放可能に結合されるスナップボタン式の結合部材２８、２８が設けられており、マッサージ具１０を被マッサージ部分の周りに設定した状態で、これら結合部材２８、２８を結合することにより、マッサージ具１０を筒状に維持し、ファスナースライド２４Ｆを閉じる方向に円滑に動かしやすくできるようになっている。
【００２１】
マッサージ具本体２２の一対の端縁２２ａ、２２ｂの一方２２ａに沿って取り付けられたファスナーストリップ２４Ａは、シート状加圧室材２２Ａ及び外側及び内側シート状カバー材２２Ｂ、２２Ｄを通された縫い糸２４ｃによってマッサージ具本体２２に取り付けられている。図３に示す例では、咬み込み防止ストリップ２６は、芯材２６ａとその外側面及び内側面に重ねられたカバーシート２６ｂ、２６ｃからなる積層構造されており、縫い糸２６ｄによってマッサージ具本体２２（具体的に、マッサージ具本体２２の内側シート状カバー材）に縫い合わせられており、図４に示す例では単一層とされて縫い糸２６ｄによってマッサージ具本体２２に縫い合わされている。
【００２２】
図５及び図６は、それぞれ図３及び図４に示す実施形態の変形例を示しており、ファスナーストリップ２４Ａが縫い糸２４ｃによって咬み込み防止ストリップ２６に縫い合わされている。
【００２３】
図７は、前述した拡張ストリップ１６をマッサージ具本体２２の一対の端縁２２ａ、２２ｂ間に取付けて当該マッサージ具の周長を拡張させている例を示している。この拡張ストリップ１６は、その両側縁に沿ってファスナーストリップ２４Ｄ、２４Ｅを備えており、それぞれの噛合せ歯２４ｄ、２４ｅがマッサージ具本体２２のファスナーストリップ２４Ａ、２４Ｂの噛合せ歯２４ａ、２４ｂに連結されるようになっている。拡張ストリップ１６はファスナーストリップ２４Ｅの内側に配置され該拡張ストリップ１６に取り付けられた咬み込み防止ストリップ３０を備えている。
【００２４】
図８及び図９は、図７に示した拡張ストリップ１６を２つ横並べにしてマッサージ具本体２２の一対の端縁２２ａ、２２ｂ間に取付ける場合の、これら拡張ストリップ１６等の取付け状態を模式的に示しており、図８は拡張ストリップ１６が連結される前の状態、図９は連結された状態を示している。すなわち、拡張ストリップ１６におけるファスナーストリップ２４Ｄ、２４Ｅは縫い糸２４ｆによって拡張ストリップ１６に縫い付けられており、咬み込み防止ストリップ３０は縫い糸３０ａによって拡張ストリップ１６に縫い付けられている。
【００２５】
図１に示す下肢マッサージ用のマッサージ具１０のマッサージ具本体２２は、下肢の足部分を収納する足収納部２２Ｇと、脚を収納する脚収納部２２Ｈとを有しており、スライドファスナー２４が足収納部１０ａ及び脚収納部１０ｂを通しマッサージ具本体２２の全長にわたって延びるようにされている。このマッサージ具１０では、足収納部２２Ｇと脚収納部２２Ｈとの接続部分に隣接する位置にスライドファスナー２４を横断してマッサージ具本体２２の一対の端縁２２ａ、２２ｂを解放可能に相互に近接した状態に締結する締結部材（締結バンド）３２が設けられている。このマッサージ具１０の通常の使用においては、ファスナースライド２４Ｆを締結部材３２より脚収納部２２Ｈ寄りの位置までスライドして足収納部２２Ｇを筒状にしておき、使用者は足部分をその筒状にされている足収納部２２Ｇに脚収納部２２Ｈ側から挿入してから脚収納部２２Ｈを脚部分の周りに廻して、ファスナースライド２４Ｆをスライドしてスライドファスナー２４を閉じるようにすることができる。
【００２６】
以上、本発明に係るマッサージ具の実施形態につき説明したが、本願発明はこれら実施形態に限定されるものではない。例えば、マッサージ具本体２２は、図示の例では、筒状にされた場合の全長にわたり一対の端縁２２ａ、２２ｂが延びるようにしたものとされているが、足収納部分２２Ｇは筒状のものとし、端縁２２ａ、２２ｂは脚収納部２２Ｈの部分にだけにあるようなものとのすることができる。
【符号の説明】
【００２７】
マッサージ具１０；
マッサージ具制御器１２；
拡張ストリップ１６；
加圧室２０；
マッサージ具本体２２；
端縁２２ａ、２２ｂ；
シート状加圧室材２２Ａ；
外側シート状カバー材２２Ｂ；
内側シート状カバー部材２２Ｄ；
縫い糸２２Ｆ；
足収納部２２Ｇ；
脚収納部２２Ｈ；
スライドファスナー２４；
ファスナーストリップ２４Ａ、２４Ｂ、２４Ｄ、２４Ｅ；
ファスナースライド２４Ｆ；
噛合せ歯２４ａ、２４ｂ、２４ｄ、２４ｅ；
縫い糸２４ｃ、２４ｆ；
咬み込み防止ストリップ２６；
芯材２６ａ；
カバーシート２６ｂ、２６ｃ；
縫い糸２６ｄ；
結合部材２８、２８；
咬み込み防止ストリップ３０；
縫い糸３０ａ
【図１】
2018166605.tif 000003
【図２】
2018166605.tif 000004
【図３】
2018166605.tif 000005
【図４】
2018166605.tif 000006
【図５】
2018166605.tif 000007
【図６】
2018166605.tif 000008
【図７】
2018166605.tif 000009
【図８】
2018166605.tif 000010
【図９】
2018166605.tif 000011